(57)【特許請求の範囲】
【請求項１】
情報を電磁的方法で記録する記録媒体であって、その表面に複数の文字が表示された記録媒体において、
前記複数の文字は整列した一連の文字からなり、
少なくとも１つの特定の文字は、目視可能であって、第１部分と第２部分とからなり、
前記第１部分と第２部分の一方は、赤外線あるいは紫外線を吸収し、
前記第１部分と第２部分の他方は、赤外線あるいは紫外線を反射し、
前記一連の文字中の前記特定の文字の位置は、前記一連の文字の値または前記電磁的方法で記録された情報から決められることを特徴とする記録媒体。
【請求項２】
請求項１に記載の記録媒体において、
前記第１部分と第２部分の一方は、赤外線あるいは紫外線を吸収するが可視光を反射するインキで印刷され、
前記第１部分と第２部分の他方は、赤外線あるいは紫外線、および可視光を反射するインキで印刷されていることを特徴とする記録媒体。
【請求項３】
請求項１に記載の記録媒体において、
前記第１部分は前記文字全体の輪郭部であり、
前記第２部分は輪郭部の内側の内側部であり、
前記第１部分と第２部分とは顔料インキと染料インキとで塗り分けられることを特徴とする記録媒体。
【請求項４】
請求項１または請求項２に記載の記録媒体において、
前記第１部分と前記第２部分とは同色であることを特徴とする記録媒体。
【発明の詳細な説明】
【技術分野】
【０００１】
本発明は、表面に文字が表示される記録媒体に関するものである。
【背景技術】
【０００２】
従来から、株券等の印刷物が複写機によって偽造されるのを防止するために、その表面に特殊インクで文字を印刷すること、およびホログラムを貼付することが行われている（例えば、特許文献１）。
【０００３】
また、特許文献２には、商品券に赤外線を吸収するインキでＯＣＲ番号とこれから生成されたチェックディジットとを印刷し、更に赤外線を吸収しないインキでダミー番号をＯＣＲ番号の横に印刷し、赤外線センサで読み取り可能なＯＣＲ番号およびチェックディジットによってチェックディジットの有効性を調べ、商品券の真偽を判別することが示されている。このように、視認可能なダミー番号を印刷することによりチェックディジットの生成方法を分かり難くし、偽造の防止を図っている。
【０００４】
特許文献３には、株券等に印刷される文字を上下または左右に分割し、一方を赤外線を吸収するが可視光を吸収しないインキで印刷し、他方を赤外線および可視光を吸収するインキで印刷し、さらに赤外線を吸収しないが可視光を吸収するインキでダミーパターンを当該文字の上に重畳して印刷することが示されている。このようにすることで、赤外線センサで検出されるべき文字が視認不可能となり、株券等の偽造が防止される。
【０００５】
特許文献４には、株券等にバーコード等の自動読み取り可能なマークを印刷する際に、表面が赤外線を反射する基材上に、可視光を吸収するが赤外線を吸収しない可視光吸収インキ層と、可視光を吸収しないが赤外線を吸収する赤外線吸収インキ層とを近接あるいは重畳して設けることが示されている。このようにすることで、赤外線吸収インキで印刷された部分のみの複写が防止されると共に、赤外線スコープによって赤外線吸収インキで印刷された部分が検出される。
【０００６】
【特許文献１】特開２００１−２０７０９１号公報（請求項１、請求項６、段落０００７）
【特許文献２】特開２０００−３１８３６０号公報（段落００１０〜段落００１７、図２（ｃ）、（ｄ））
【特許文献３】特開平７−０６８９７９号公報（段落００１５〜段落００１９）
【特許文献４】特開平６−２９７８８９号公報（段落０００２、段落００１６〜段落００１９、段落００３４〜段落００３６）
【発明の開示】
【発明が解決しようとする課題】
【０００７】
しかしながら、上記の特殊インキやホログラムを用いる方法では記録媒体のコストが高くなるという問題がある。また、ホログラムは磁気カード等に予め貼付されるので、磁気カードが発行前に盗まれると大量の偽造カードが出回る恐れがあるという問題もある。特許文献２に示されるものにおいては、ダミー番号を余分に印刷しなければならない。このため、小サイズの切符や磁気カードではダミー番号の印刷スペースを取ることができないという問題が生じる。特許文献３に示されるものにおいては、偽造を防止するために各文字を視認することができないようにしているので、各文字の情報提供機能が失われるという問題がある。また、３種類のインキを使用しているために印刷工程が増加し、印刷のスループットが低下するという問題もある。特許文献４に示されるものにおいては、目視される形状と赤外線スコープで検出される形状とに違いがあるので、この印刷方法をバーコードではなく文字に適用する場合には、文字を視認することができず、各文字の情報提供機能が失われるという問題がある。
【０００８】
本発明は、上記問題点を解決するものであって、その課題とするところは、表面に表示されるべき文字の視認が妨げられることなく、且つ偽造防止のための文字を追加することなく、偽造防止が図られた記録媒体を提供することにある。
【課題を解決するための手段】
【０００９】
本発明の記録媒体は、情報を電磁的方法で記録し、その表面に複数の文字が表示された記録媒体であって、複数の文字は整列した一連の文字からなり、少なくとも１つの特定の文字は、目視可能であって、第１部分と第２部分とからなる。そして、第１部分と第２部分の一方は、赤外線あるいは紫外線を吸収し、第１部分と第２部分の他方は、赤外線あるいは紫外線を反射する。また、一連の文字中の特定の文字の位置は、一連の文字の値または電磁的方法で記録された情報から決められる。
【００１０】
ここで、「電磁的方法」とは、電子的方法、磁気的方法その他人の知覚によって認識することができない方法をいう。また、本発明でいう「文字」とは、アルファベットや仮名、漢字等の狭義の文字だけを指すのではなく、数字、記号、図形等も含む広義の文字を意味する。
【００１１】
このようにすることで、赤外線あるいは紫外線の領域に反応しない人間の眼やＯＡ用スキャナは、第１部分と第２部分とを識別することができない。これにより、電磁的方法で記録された情報を盗み取って記録媒体が複製された場合でも、第１部分と第２部分とを複製することができないので、記録媒体の偽造が防止される。また、赤外線あるいは紫外線センサを用いれば、本発明の記録媒体と、全体が赤外線あるいは紫外線を吸収する文字のみが表示された記録媒体または全体が赤外線あるいは紫外線を反射する文字のみが表示された記録媒体と、を判別することができるので、記録媒体の偽造を検出することができる。また、偽造防止のために追加的な偽造検出用の文字を表示する必要がないので、小サイズの記録媒体（例えば、切符や磁気カード）にも適用することができる。また、上記の特定の文字は全体が目視可能であるので、記録媒体に表示された複数の文字によって使用者に情報（例えば、記録媒体のカード番号）を提供することができる。
【００１２】
さらに、本発明では、特定の文字の位置が分からなければ偽造することができないので、偽造が一層困難となる。また、当該文字の位置を一連の文字の値または電磁的方法で記録された情報から求められるチェックディジットの値に相当する位置とすれば、記録媒体の複数の文字の表示領域にチェックディジットを表示する必要がなくなり、文字の表示領域のスペース効率を向上させることができる。
【００１３】
本発明においては、第１部分と第２部分の一方は、赤外線あるいは紫外線を吸収するが可視光を反射するインキで印刷され、第１部分と第２部分の他方は、赤外線あるいは紫外線、および可視光を反射するインキで印刷されていてもよい。このようにすることで、普通に入手可能な安価なインキで印刷をすることができ、記録媒体のコストアップが防止される。
【００１４】
また、本発明においては、第１部分が文字全体の輪郭部であり、第２部分が輪郭部の内側の内側部であって、第１部分と第２部分とは顔料インキと染料インキとで塗り分けられていてもよい。このようにすることで、第１および第２部分は文字を容易に判別することができる形状となり、特別に複雑なパターン認識技術を用いなくても、赤外線あるいは紫外線センサによって検出された文字の印刷状態（印刷状態とは、第１部分と第２部分の一方が赤外線を吸収するインキで印刷されているか否か、および第１部分と第２部分の他方が赤外線あるいは紫外線を反射するインキで印刷されているか否かである）を容易に判別でき、確実に偽造を検出することができる。また、市販のプリンタで使用される顔料インキと染料インキとを使用するので、高価な特製の印刷装置を用いなくとも記録媒体に印刷を行うことができる。
【００１５】
さらに、本発明においては、第１部分と第２部分とは同色であってもよい。このようにすることで、第１部分と第２部分とが１つの文字中に存在することが視覚的には認識されないので、偽造防止の実効性が高まる。特に、輪郭部または内側部の一方の線幅を他方の線幅に比較して十分に狭くしたときには、視覚的には２種類のインキで印刷されていることが殆ど識別できないので、偽造が更に困難となる。
【発明の効果】
【００１６】
本発明によれば、表面に表示されるべき文字の視認が妨げられることなく、且つ偽造防止のための文字を追加することなく、記録媒体の偽造を防止することができ、また偽造の検出も確実に行うことができる。
【発明を実施するための最良の形態】
【００１７】
図１は、本発明に係る記録媒体の一例である磁気カード１の平面図である。紙製、プラスチック製等の基材１１の表側の表面には、磁気カード１の名称１３および一連の数字からなるカード番号１２が印刷されている。また、裏側には磁気ストライプ１４が設けられており、そこにカード番号等の情報が磁気的方法で記録されている。尚、基材１１は、紙製、プラスチック製等であるので特別な表面処理をしない限り赤外線を殆ど吸収しない。
【００１８】
図２を参照して、本発明における偽造検出の原理について説明する。図２（ａ）はカード番号１２の内の１つの数字「４」の印刷態様を示す図である。ここで、数字全体は輪郭部２１と輪郭部２１の内側の内側部２２とからなり、２１Ａは輪郭部２１の幅、２３は数字の背景である。この輪郭部２１は赤外線を吸収するが可視光を吸収しないインキ（例えば、黒の顔料インキ）で印刷されている。また、内側部２２は赤外線および可視光を吸収しないインキで（例えば、シアン・マゼンダ・イエロー（Ｃ・Ｍ・Ｙ）の３色の染料インキの混色によって）黒く印刷されている。従って、数字「４」は全体が目視可能となっている。この図では、輪郭部２１と内側部２２とを識別できるように内側部２２を斜線で図示しているが、実際には輪郭部２１と内側部２２とは共に黒色で人間の眼には区別がつかない。
【００１９】
輪郭部２１のインキおよび内側部２２のインキは共に可視光を吸収しないことから、磁気カード読み取り装置５の可視光センサ５１（図７）で検出される画像は図２（ｂ１）に示されるようになる。これは人間の眼で視認される形状と同じである。また、輪郭部２１のインキは赤外線を吸収し、内側部２２のインキは赤外線を吸収しないことから、赤外線センサ５２（図７）で検出される画像は図２（ｂ２）に示されるようになる。図の黒線の部分が輪郭部２１に相当する。
【００２０】
ここで、背景２３、輪郭部２１および内側部２２の赤外線の吸収の度合いについて説明する。輪郭部２１の赤外線の吸収の度合いは、背景２３および内側部２２の赤外線の吸収の度合いに比較して、図２（ｂ２）に示される画像が認識される程度に高いことが必要である。上記の基材１１、顔料インキおよび染料インキはこの条件を満たす。一方、背景２３および内側部２２の赤外線の吸収の度合いは異なるので、赤外線センサ５２で検出された画像に対して、背景２３と内側部２２との画像が第１の値に、輪郭部２１の画像が第２の値になるように２値化処理が行われる。以下では、説明の都合上「赤外線を（殆ど）吸収しない」を「赤外線を反射する」と、「可視光を吸収しない」を「可視光を反射する」と表現することにする。
【００２１】
次に、数字の認識および偽造の検出について説明する。数字の認識は、可視光センサ５１によって検出された画像（図２（ｂ１））または赤外線センサ５２によって検出された画像（図２（ｂ２））をパターン認識することによって行われる。次に、可視光センサ５１によって検出された画像および赤外線センサ５２によって検出された画像に対してエッジ化処理を施す。これにより、それぞれ図２（ｃ１）、（ｃ２）に示される画像が得られる。このエッジ化処理は、エッジ２４の幅２４Ａが輪郭部２１の幅２１Ａと等しくなるように行われる。輪郭部２１の幅２１Ａは、後述の磁気カード読み取り装置５の制御部４１（図７）のメモリーに記憶されている。
【００２２】
次に、可視光センサ５１によって検出された画像（図２（ｂ１））から当該画像に対してエッジ化処理された画像（図２（ｃ１））を減算する。これによりエッジ２４の部分が消失した図２（ｄ１）に示される画像（可視光減算画像）が得られる。図の破線はもとの数字全体の形状を示す。次に、赤外線センサ５２によって検出された画像（図２（ｂ２））から当該画像に対してエッジ化処理された画像（図２（ｃ２））を減算する。これによりエッジ２４の部分が消失した図２（ｄ２）に示される画像（赤外線減算画像）が得られる。この赤外線減算画像は空の（何もない）画像であり、図の破線はもとの数字全体の形状を示す。
【００２３】
尚、可視光センサ５１および赤外線センサ５２で検出された画像のデータは後述の制御部４１のメモリーに記憶されており、上述の画像のエッジ化処理および減算処理はメモリーに記憶された画像のデータに対して行われる。
【００２４】
ここで、図２（ａ）の数字「４」が赤外線を吸収するインキのみで印刷されている場合には、赤外線センサ５２で検出される画像データは図２（ｂ１）のようになり、図２（ｂ２）、（ｄ２）の画像が得られない。また、赤外線を反射するインキのみで印刷されている場合には、赤外線センサ５２では図２（ｂ１）の画像も図２（ｂ２）の画像も得られない。そして、所望の画像を得ることができない場合には、当該磁気カード１が偽造カードであると判断される。
【００２５】
上記の方法では、可視光センサ５１および赤外線センサ５２で得られた画像および当該画像に対して演算処理を施すことによって得られた画像を用い、輪郭部２１が赤外線を吸収し、内側部２２が赤外線を反射することを認識し、これによって偽造の検出を行う。
【００２６】
また、上記の方法に代えて、赤外線センサ５２で検出した画像（図２（ｂ２））をパターン認識し、当該画像が白抜きの「４」であること（輪郭部２１が赤外線を吸収し、内側部２２が赤外線を反射すること）を認識し、これによって偽造の検出を行うようにしてもよい。
【００２７】
図３は本発明の第１の実施形態を示す図である。図３（ａ）は、カード番号１２の内の２つの数字の印刷態様を示す図である。カード番号１２中の特定位置にある数字「４」の印刷態様は図２と同じであり、輪郭部２１は赤外線を吸収するが可視光を反射するインキで黒く印刷され、内側部２２は赤外線および可視光を反射するインキで黒く印刷されている。ここでも、説明の便宜上、内側部２２を斜線で図示しているが、実際には輪郭部２１と内側部２２とは共に黒色で人間の眼には区別がつかない。特定位置以外の位置にある数字（ここでは、「１」だけを示す）は、赤外線を吸収するが可視光を反射するインキのみで黒く印刷されている。
【００２８】
図３（ｂ１）、（ｂ２）は、それぞれ当該数字を可視光センサ５１で検出した画像および赤外線センサ５２で検出した画像を示す。図３（ｃ１）、（ｃ２）は、それぞれ図３（ｂ１）、（ｂ２）の画像に対して図２の場合と同様なエッジ化処理を施したときに得られる画像を示す。図３（ｄ１）、（ｄ２）は、それぞれ図３（ｂ１）の画像から図３（ｃ１）の画像を減算して得られる画像（可視光減算画像）および図３（ｂ２）の画像から図３（ｃ２）の画像を減算して得られる画像（赤外線減算画像）を示す。
【００２９】
上記の特定位置とは、例えば、９桁のカード番号１２から公知のアルゴリズムで算出されるチェックディジットの値に相当する位置である。例えば、チェックディジットの値が３である場合は、カード番号１２の先頭の位置が０であるので、数字４の位置が特定位置になる。特定位置は１つに限られるものではなく、２桁のチェックディジットを生成するアルゴリズムを用いて、２つの位置を特定位置とするようにしてもよい。また、特定位置は、カード番号１２に関係なく一定の位置であってもよいし、磁気ストライプ１４に記録されている情報から算出された値に相当する位置であってもよい。また、カード番号１２にアルファベット等が含まれる場合には、それらのキャラクターコードを使用して特定位置が決められる。
【００３０】
次に、カード番号１２の印刷が偽造されたものであるかを判断する方法について説明する。まず、可視光センサ５１で得られたカード番号１２の画像（その一部が図３（ｂ１）に示される）の数字から特定の位置を算出する。この算出方法は、後述の制御部４１のメモリーに記憶されている。次に、特定位置以外の数字（ここでは「１」）については、赤外線センサ５２で得られた図３（ｂ２）の画像の示す数字と図３（ｄ２）の赤外線減算画像の示す数字が同じであれば、当該位置の数字は偽造されたものではないと判断する。特定位置の数字（ここでは「４」）については、図２と同様にして判断される。
【００３１】
上記の方法により、偽造を検出できる理由について説明する。例えば、カード番号１２の全ての数字が赤外線を反射するインキのみで印刷されている場合は、図３（ｂ２）の画像が得られない。また、カード番号１２の全ての数字が赤外線を吸収するインキのみで印刷されている場合は、図３（ｂ２）において「４」の画像が白抜きとならないので、図３（ｄ２）の「４」の空の画像が得られない。
【００３２】
上記の可視光センサ５１および赤外線センサ５２を用いて偽造の判断を行う方法に代えて、赤外線センサ５２で検出した画像（図３（ｂ２））をパターン認識し、その結果から特定位置を算出し、特定位置の数字の画像が白抜きの数字であり、且つ特定位置以外の数字の画像が白抜きではない数字であるとき以外のときに、当該磁気カード１が偽造カードであると判断するようにしてもよい。
【００３３】
尚、特定位置の数字以外の数字の印刷に使用される１種類のインキは以下のようになる。可視光センサ５１および赤外線センサ５２によって偽造を検出する場合には、可視光を反射するインキであれば赤外線を吸収するインキまたは反射するインキのいずれでもよい。赤外線センサ５２のみによって偽造を検出する場合には、赤外線を吸収するインキである。
【００３４】
図４は、カード番号１２を印刷して磁気カード１を発行する磁気カード発行装置３の概略機構を示す図であり、図５はその電気的構成を示す図である。これらの図を参照して磁気カード発行装置３について説明する。磁気カード発行装置３の筐体３１の内部にはカード供給台３７が設けられており、その上にカード番号１２の印刷されていない複数枚の磁気カード１が戴置（収納）されている。カード供給台３７は、不図示の機構を介してカード供給台昇降用モータ４０に連結されており、その回転によって昇降する。カード供給台３７が上昇して、カード検出センサ３６（例えば、リミットスイッチ）が磁気カード１を検出すると、ローラ３３が回転し、その回転によって磁気カード１はプリンタ３５のカード通路３５Ｂ内に進入する。そして、磁気カード１がカード通路３５Ｂを通過する際にプリンタ３５の印字ヘッド３５Ａが磁気カード１の表側にカード番号１２を印刷する。尚、ローラ３３はカード搬送用モータ３９によって駆動され、ローラ３３が正転または逆転することによって磁気カード１をＦ方向またはＢ方向に搬送する。
【００３５】
この印刷された磁気カード１はローラ３３の回転によって更にＦ方向に進み、磁気ヘッド３４によって磁気ストライプ１４に所定の情報が記録される。次に、この磁気カード１をＢ方向に戻し、再度磁気ヘッド３４上をＦ方向に移動させることにより、記録された情報の書き込みチェックを行う。そして、書き込み不良が検出された場合には、磁気カード１をＢ方向に搬送し、回収容器３８に回収する。書き込み不良が検出されない場合は、カード発行口３２から磁気カード１を発行する。
【００３６】
また、磁気カード１が搬送される経路には磁気カード１の位置を検出する多数の不図示のセンサが設けられている。後述の制御部４１は、このセンサの信号を検出し、磁気カード１の位置および処理内容（例えば、カード番号１２の印刷）に応じてローラ３３が正転・逆転・停止するようにカード搬送用モータ３９を制御する。尚、図４の構造では、磁気カード１がカード供給台３７からＦ方向に搬送されるときに、カード供給台３７に積まれた他の磁気カード１がずれないように、また書き込み不良カードを回収容器３８に回収するときにカード供給台３７上を通過できるように、不図示の補助機構が設けられている。
【００３７】
図５に示される制御部４１は、ＣＰＵ，メモリー、および磁気ヘッド３４の読み取り信号の信号処理回路等から構成される。メモリーは、ＣＰＵの動作プログラムおよび各種制御データを記憶すると共に、ＣＰＵの演算作業領域として使用される。そして、ＣＰＵによってプログラムが実行されることにより、磁気カード発行装置３の各部の制御、上述のカード番号１２の印刷等が行われる。また、制御部４１は、通信部４２を介して上位装置４３（例えば、自動現金取引装置）からデータを受信し、このデータに従ってプリンタ３５でカード番号１２を印刷し、磁気ヘッド３４で磁気ストライプ１４に情報を記録する。
【００３８】
次に、プリンタ３５について説明する。このプリンタ３５は、例えば、昇華型のプリンタであり、少なくとも黒の顔料インキによる印刷およびＣ・Ｍ・Ｙの３色の染料インキによる黒色の印刷を行うことができる。この昇華型のプリンタ３５は、上記の顔料インキおよび３色の染料インキをそれぞれ塗布したフィルムを備えており、フィルムを加熱することによりインキを昇華させ、それを磁気カード１に写し取る。昇華型のプリンタ３５で印刷されたカード番号１２は、水に濡れても滲まない、磨耗し難いという長所を有する。尚、顔料インキで印刷された黒色と染料インキで印刷された黒色とは僅かに濃淡の差があるが、磁気カード１等の記録媒体に印刷される数字の高さは３ｍｍ〜１０ｍｍ程度であり、その線幅は高々２ｍｍ程度であるので、輪郭部２１の線幅を狭く（例えば、０．５ｍｍ以下または数字の線幅の１／４以下）にすれば、濃淡の差は視覚では殆ど識別できない。
【００３９】
そして、プリンタ３５は制御部４１から送られてくるカード番号１２のビットイメージデータおよび使用するインキの種類を示す情報に従ってカード番号１２を印刷する。輪郭部２１を顔料インキで印刷し、内側部２２を染料インキで印刷する場合（図２（ａ））には、まず内側部２２の形状のビットイメージデータに従って内側部２２をＣ・Ｍ・Ｙの３色の染料インキで黒く印刷し、次に輪郭部２１の形状のビットイメージデータに従って黒の顔料インキで輪郭部２１を印刷する。この場合、輪郭部２１および内側部２２は、図６（ａ）〜（ｃ）のいずれかの態様で印刷される。図６は、磁気カード１の表面に印刷されたインキの側面断面図で、（ａ）は輪郭部２１が内側部２２の外周に沿って形成されている例、（ｂ）は輪郭部２１の一部が内側部２２の縁部を覆っている例、（ｃ）は輪郭部２１が内側部２２の縁部の上面に形成されている例である。尚、輪郭部２１を印刷した後に内側部２２を印刷するようにしてもよい。
【００４０】
図７は、カード番号１２が印刷された磁気カード１を読み取る磁気カード読み取り装置５の概略機構を示す図であり、図８はその電気的構成を示す図である。これらの図を参照して磁気カード読み取り装置５について説明する。これらの図では、図４、図５に示される磁気カード発行装置３と同じ機能を有するものについては同じ番号で示す。また、磁気カード発行装置３と共通する内容については説明を省略する。
【００４１】
カード投入口５３から投入された磁気カード１は、ローラ３３によってＢ方向に搬送され、可視光センサ５１の下方および赤外線センサ５２の下方を通過するときにカード番号１２の検査が行われる。可視光センサ５１は、その投光部から可視光を磁気カード１に照射し、反射光をその受光部で検出する。赤外線センサ５２は、その投光部から赤外線を磁気カード１に照射し、反射光をその受光部で検出する。これらの検出信号は制御部４１に送られ、そのメモリーに画像データとして記憶される。制御部４１のＣＰＵは、図２および図３で説明したように画像データを解析し、カード番号１２の印刷が偽造されたものであるか否かを判断する。そして、偽造されたものであると判断した場合は、磁気カード１をカード投入口５３から排出するか、または回収容器３８に回収する。
【００４２】
適正な磁気カード１は更にＢ方向に搬送され、磁気ヘッド３４によって磁気ストライプ１４に記録されている情報が読み取られる。この情報は制御部４１、通信部４２を介して上位装置４３に送られ、上位装置４３において処理（例えば、現金の払い出し）が行われる。また、上位装置４３からの指示に従って磁気ヘッド３４からの書き込み信号によって磁気ストライプ１４に記録されている情報が更新される。
【００４３】
図９は本発明の第２の実施形態を示す図である。本実施形態では、カード番号１２中の特定位置にある数字「４」の内、第１の部分２５は赤外線を吸収するが可視光を反射するインキで、第２の部分２６は赤外線および可視光を反射するインキで印刷されている。この場合、上述の画像のエッジ化処理は第１の部分２５の幅２５Ａに合わせて行われる。なお、特定位置以外の位置にある数字は、図示を省略してある（以下の実施形態においても同様）。本実施形態でも、図２、図３と同様にして、可視光センサ５１および赤外線センサ５２を用いて偽造の検出が行われる。また、第１の部分２５は、「４」であると判別することができる形状であり、線幅の狭い「４」と判断することができるので、赤外線センサ５２のみを用いて偽造の検出を行うこともできる。尚、図９（ｂ）は赤外線センサ５２で検出される画像を示す参考図である。
【００４４】
図１０は本発明の第３の実施形態を示す図である。本実施形態でも、カード番号１２中の特定位置にある数字「４」の内、第１の部分２５は赤外線を吸収するが可視光を反射するインキで、第２の部分２６は赤外線および可視光を反射するインキで印刷されている。この場合、上述の画像のエッジ化処理は第１の部分２５の幅２５Ａに合わせて行われる。本実施形態でも、図２、図３と同様にして、可視光センサ５１および赤外線センサ５２を用いて偽造の検出が行われる。また、第１の部分２５は、「４」と同じ形状ではないが、「４」であると判別することができる形状であるので、赤外線センサ５２のみを用いて偽造の検出を行うこともできる。尚、図１０（ｂ）は赤外線センサ５２で検出される画像を示す参考図である。
【００４５】
図１１は本発明の第４の実施形態を示す図である。本実施形態でも、カード番号１２中の特定位置にある数字「４」の内、第１の部分２５は赤外線を吸収するが可視光を反射するインキで、第２の部分２６は赤外線および可視光を反射するインキで印刷されている。この場合、上述の画像のエッジ化処理は第１の部分２５の幅２５Ａに合わせて行われる。本実施形態でも、図２、図３と同様にして、可視光センサ５１および赤外線センサ５２を用いて偽造の検出が行われる。また、第１の部分２５は、一般的には「４」と判別することができる形状ではないが、「４」の特徴を示す形状（他の数字から「４」を識別することのできる形状）である。従って、カード番号１２として印刷されるものが数字およびアルファベット等に限定される場合には、この特徴を示す形状をパターン認識することによって、赤外線センサ５２のみを用いて偽造の検出を行うこともできる。尚、図１１（ｂ）は赤外線センサ５２で検出される画像を示す参考図である。
【００４６】
図１２は本発明の第５の実施形態を示す図である。図３の実施形態では、カード番号１２中の特定位置にある数字「４」の輪郭部２１が赤外線を吸収するが可視光を反射するインキで、内側部２２が赤外線および可視光を反射するインキで印刷されていた。それに対し、本実施形態では、図１２（ａ）に示されるように、カード番号１２中の特定位置にある数字「４」の輪郭部２１は赤外線および可視光を反射するインキで、内側部２２は赤外線を吸収するが可視光を反射するインキで印刷されている。
【００４７】
図１２（ｂ１）、（ｂ２）は、それぞれ可視光センサ５１および赤外線センサ５２で検出された画像を示す図である。図１２（ｃ１）、（ｃ２）は、それぞれ図１２（ｂ１）、（ｂ２）に示される画像に対してエッジ化処理がされた画像を示す図である。このエッジ化処理は内側部２２の幅２２Ａに合わせて行われる。図１２（ｄ１）、（ｄ２）は、それぞれ図１２（ｂ１）、（ｂ２）に示される画像から図１２（ｃ１）、（ｃ２）に示される画像を減算した結果の画像を示す図である。上記の各画像は図２に示される各画像と同様の関係にあるので、図２、図３と同様にして可視光センサ５１および赤外線センサ５２によって、または赤外線センサ５２のみによって偽造の検出を行うことができる。
【００４８】
図１３は本発明の第６の実施形態を示す図である。図１では、基材１１（図１）の表面が赤外線を反射したが、本実施形態では、基材１１の表面は赤外線を吸収する（例えば、基材１１が赤外線を吸収するフィルムでコーティングされている）。そして、カード番号１２中の特定位置にある数字「４」の内、輪郭部２１は赤外線および可視光を反射するインキで、内側部２２は赤外線を吸収するが可視光を反射するインキで印刷されている。可視光センサ５１で検出される数字「４」の画像は図２（ｂ１）に示されるものと同じであるが、赤外線センサ５２で検出される数字「４」の画像は、図１３（ｂ）に示される画像となる。図の斜線部は画像の暗部を示す。この画像に対して白黒（明暗）の反転処理を施すと、図１３（ｃ）に示される画像、つまり、図２（ｂ２）に示される画像と同じ画像が得られる。
【００４９】
従って、図２、図３と同様にして、可視光センサ５１および赤外線センサ５２によって、または赤外線センサ５２のみによって偽造を検出することができる。尚、特定位置の数字以外の数字の印刷に使用される１種類のインキは、以下のようになる。可視光センサ５１および赤外線センサ５２によって偽造を検出する場合には、可視光を反射するインキであれば赤外線を吸収するインキまたは反射するインキのいずれでもよい。赤外線センサ５２のみによって偽造を検出する場合には、赤外線を反射するインキである。
【００５０】
また、図９〜図１１に示される実施形態は、第１の部分２５を赤外線および可視光を反射するインキで印刷し、第２の部分２６を赤外線を吸収するが可視光を反射するインキで印刷するように変更することによって、基材１１の表面が赤外線を吸収する場合であっても実施することができる。
【００５１】
図１４は本発明の第７の実施形態を示す図であり、図１２の実施形態に対応する実施形態である。図１２の実施形態では基材１１の表面は赤外線を反射した。それに対し、本実施形態では基材１１の表面は赤外線を吸収する。そして、カード番号１２中の特定位置にある数字「４」の輪郭部２１は赤外線を吸収するが可視光を反射するインキで、内側部２２は赤外線および可視光を反射するインキで印刷されている。可視光センサ５１で検出される画像は図１２（ｂ１）に示されるものと同じであるが、赤外線センサ５２で検出される画像は、図１４（ｂ）に示される画像となる。図の斜線部は画像の暗部を示す。この画像に対して白黒（明暗）の反転処理を施すと、図１４（ｃ）に示される画像、つまり、図１２（ｂ２）に示される画像と同じ画像が得られる。従って、図１２の場合と同様にして、可視光センサ５１および赤外線センサ５２によって、または赤外線センサ５２のみによって偽造を検出することができる。
【００５２】
以上述べた実施形態においては、赤外線を吸収するが可視光を反射するインキと赤外線および可視光を反射するインキとを用いてカード番号１２の数字を塗り分ける場合について説明したが、紫外線を吸収するが可視光を反射するインキと紫外線および可視光を反射するインキとを用いるようにしてもよい。また、上述の実施形態は、インキ以外の色材を用いてカード番号１２の数字を記録媒体の表面に表示することを排除するものではない。
【００５３】
また、上記実施形態では、カード番号１２の数字の印刷について説明したが、これに限られるものではなく、数字、文字（Ａ，Ｂ，Ｃ等）、記号（＊，−等）、および図形（○、△等）を含む広い意味での文字を用いてカード番号以外のもの（例えば、記録媒体の所有者の名前）を記録媒体に表示する場合にも本発明を実施することができる。
【００５４】
さらに、上記実施形態では、記録媒体が磁気カード１である場合について説明したが、これに限られるものではなく、ＩＣカード、預金通帳、定期券、乗車券等の記録媒体についても本発明を実施することができる。
【００５５】
さらに、上記実施形態では、赤外線を吸収するインキと反射するインキとが同色である場合について説明したが、両インキの色が互いに異なる場合でも本発明を実施することができる。
【００５６】
さらに、上記実施形態では、磁気カード発行装置３は読み取り機能を持たず、磁気カード読み取り装置５は発行機能を持たないものであったが、各装置が両機能を併せ持つようにしてもよい。
【００５７】
尚、上記実施形態では、赤外線センサ５２および可視光センサ５１で検出された画像、または赤外線センサ５２で検出された画像に基づいて磁気カード１の偽造を検出する方法を例示したが、他の検出方法を用いてもよい。
【図面の簡単な説明】
【００５８】
【図１】磁気カードの平面図である。
【図２】本発明における偽造検出の原理を示す図である。
【図３】本発明の第１の実施形態を示す図である。
【図４】磁気カード発行装置の概略機構を示す図である。
【図５】磁気カード発行装置の電気的構成を示す図である。
【図６】磁気カードの表面に印刷されたインキの側面断面図である。
【図７】磁気カード読み取り装置の概略機構を示す図である。
【図８】磁気カード読み取り装置の電気的構成を示す図である。
【図９】本発明の第２の実施形態を示す図である。
【図１０】本発明の第３の実施形態を示す図である。
【図１１】本発明の第４の実施形態を示す図である。
【図１２】本発明の第５の実施形態を示す図である。
【図１３】本発明の第６の実施形態を示す図である。
【図１４】本発明の第７の実施形態を示す図である。
【符号の説明】
【００５９】
１    磁気カード（記録媒体）
１１  基材
１２  カード番号（複数の文字）
２１  輪郭部
２２  内側部
２５  第１の部分
２６  第２の部分
【図１】
0004717914.tif 000002
【図２】
0004717914.tif 000003
【図３】
0004717914.tif 000004
【図４】
0004717914.tif 000005
【図５】
0004717914.tif 000006
【図６】
0004717914.tif 000007
【図７】
0004717914.tif 000008
【図８】
0004717914.tif 000009
【図９】
0004717914.tif 000010
【図１０】
0004717914.tif 000011
【図１１】
0004717914.tif 000012
【図１２】
0004717914.tif 000013
【図１３】
0004717914.tif 000014
【図１４】
0004717914.tif 000015